(57)【要約】      （修正有）【課題】水滴が隣接部材とバインドバーとの間に侵入し、締結部材に到達して液絡が発生することを抑制できる蓄電装置を提供する。【解決手段】蓄電素子と、第一方向において前記蓄電素子と隣り合う絶縁性の隣接部材３と、第一方向と直交する第二方向において前記蓄電素子及び隣接部材３の双方と対向する導電性のバインドバーと、前記蓄電素子及び隣接部材３の双方と前記バインドバーとの間に配置される絶縁部材と、前記第二方向において前記絶縁部材を貫通し、隣接部材とバインドバーとを締結する導電性の締結部材６とを備え、隣接部材３及び前記絶縁部材の少なくとも何れか一方は、隣接部材３及び前記絶縁部材の少なくとも何れか他方に向けて突出し且つ締結部材６の外周と対向する対向凸部を備え、前記対向凸部は、隣接部材３及び前記絶縁部材の少なくとも何れか他方に当接する、蓄電装置。【選択図】図５
2019032997.tif 000002
【特許請求の範囲】
【請求項１】
蓄電素子と、
第一方向において前記蓄電素子と隣り合う絶縁性の隣接部材と、
第一方向と直交する第二方向において前記蓄電素子及び前記隣接部材の双方と対向する導電性の対向部材と、
前記蓄電素子及び前記隣接部材の双方と前記対向部材との間に配置される絶縁部材と、
前記第二方向において前記絶縁部材を貫通し、前記隣接部材と前記対向部材とを締結する導電性の締結部材とを備え、
前記隣接部材及び前記絶縁部材の少なくとも何れか一方は、前記隣接部材及び前記絶縁部材の少なくとも何れか他方に向けて突出し且つ締結部材の外周と対向する対向凸部を備え、
前記対向凸部は、前記隣接部材及び前記絶縁部材の少なくとも何れか他方に当接する、
蓄電装置。
【請求項２】
前記対向凸部は、弾性変形可能であり、
前記隣接部材及び前記絶縁部材の少なくとも何れか一方は、前記対向凸部を前記締結部材の外周方向で分断した分断部を備える、
請求項１に記載の蓄電装置。
【請求項３】
前記対向凸部は、当該対向凸部の突出方向における先端側ほど薄肉である、
請求項１又は２に記載の蓄電装置。
【請求項４】
前記隣接部材及び前記絶縁部材の少なくとも何れか一方は、前記第二方向と直交する方向において前記対向凸部よりも外側に位置し、且つ前記第二方向と直交する方向から見て少なくとも前記分断部及び前記対向凸部における前記分断部の両側の部分と重複する外側凸部を有する、
請求項１乃至３のいずれか１項に記載の蓄電装置。
【請求項５】
前記隣接部材及び前記絶縁部材の少なくとも何れか他方は、前記外側凸部が入り込む凹部を有する、
請求項４に記載の蓄電装置。
【発明の詳細な説明】
【技術分野】
【０００１】
本発明は、蓄電素子と、該蓄電素子を位置決めする隣接部材とを備えた蓄電装置に関する。
【背景技術】
【０００２】
従来から、複数の扁平形二次電池を備えたバッテリシステムには、耐振動性や耐衝撃性を考慮したものが提供されている（例えば、特許文献１参照）。
【０００３】
かかるバッテリシステムは、複数の扁平形二次電池が厚さ方向に積層された電池積層体と、該電池積層体の積層方向の両端面に配置される一対のエンドプレートと、一対のエンドプレートに連結され、扁平形二次電池を積層方向に加圧して固定するバインドバーと、電池積層体を構成している扁平形二次電池の間に配置され、バインドバーに固定された中間補強プレートとを備える。
【０００４】
バインドバーは、導電性を有する金属製の部品であり、中間部に中間補強プレートに連結する固定部を有する。バインドバーの固定部には、固定ネジを挿通する貫通孔が設けられている。これにより、上記バッテリシステムでは、固定部の貫通孔に挿通された固定ネジによって、中間補強プレートとバインドバーとが締結される。
【０００５】
このバッテリシステムでは、エンドプレート及び中間補強プレートが積層された扁平形二次電池を加圧状態で固定する。すなわち、電池積層体（扁平形二次電池）は、中間補強プレートを基準に位置決めされる。
【０００６】
ところで、このバッテリシステムでは、中間補強プレートがバインドバーに固定ネジによって締結されるため、バインドバーの固定部の貫通孔に挿通された金属製の固定ネジが、中間補強プレートとバインドバーとの間に存在する。
【０００７】
そのため、結露等によってバッテリシステムに付着した水滴が中間補強プレートとバインドバーとの間に侵入し、固定ネジに到達すると、液絡（短絡）する虞がある。
【先行技術文献】
【特許文献】
【０００８】
【特許文献１】特開２０１４−４４８８４号公報
【発明の概要】
【発明が解決しようとする課題】
【０００９】
そこで、本実施形態は、水滴の付着に伴う液絡の発生を抑制できる蓄電装置を提供することを目的とする。
【課題を解決するための手段】
【００１０】
本実施形態の蓄電装置は、
蓄電素子と、
第一方向において前記蓄電素子と隣り合う絶縁性の隣接部材と、
第一方向と直交する第二方向において前記蓄電素子及び前記隣接部材の双方と対向する導電性の対向部材と、
前記蓄電素子及び前記隣接部材の双方と前記対向部材との間に配置される絶縁部材と、
前記第二方向において前記絶縁部材を貫通し、前記隣接部材と前記対向部材とを締結する導電性の締結部材とを備え、
前記隣接部材及び前記絶縁部材の少なくとも何れか一方は、前記隣接部材及び前記絶縁部材の少なくとも何れか他方に向けて突出し且つ締結部材の外周と対向する対向凸部を備え、
前記対向凸部は、前記隣接部材及び前記絶縁部材の少なくとも何れか他方に当接する。
【００１１】
かかる構成によれば、絶縁部材が蓄電素子と対向部材との間に配置されるため、絶縁部材が対向部材を蓄電素子から絶縁する。対向凸部は、隣接部材と絶縁部材との間で導電性の締結部材の外周と対向する（締結部材までの経路に介在する）ため、水滴が絶縁部材と隣接部材との間に侵入しても締結部材にまで到達できない。すなわち、対向凸部が、水滴の進行を阻止する。そして、隣接部材及び絶縁部材のそれぞれが絶縁性であるため、これらの少なくとも何れか一方が有する対向凸部も絶縁性であり、進行の阻止に伴って対向凸部に水滴が付着しても、対向凸部と締結部材とが導通することがない。従って、水滴の付着に伴う液絡（短絡）の発生が抑制される。
【００１２】
前記対向凸部は、弾性変形可能であり、
前記隣接部材及び前記絶縁部材の少なくとも何れか一方は、前記対向凸部を前記締結部材の外周方向で分断した分断部を備える、ようにしてもよい。
【００１３】
かかる構成によれば、分断部の存在により、対向凸部の周方向における連続性が断たれる。これに伴い、対向凸部が隣接部材及び絶縁部材の少なくとも何れか他方と当接した状態において、対向凸部が弾性変形し易くなり、相手方に対する当接性（密接性）が高まる。
【００１４】
前記対向凸部は、当該対向凸部の突出方向における先端側ほど薄肉である、ようにしてもよい。
【００１５】
かかる構成によれば、対向凸部が隣接部材及び絶縁部材の少なくとも何れか他方と当接した状態で該対向凸部の先端側が変形し易くなる。これにより、隣接部材及び絶縁部材の少なくとも何れか他方と対向凸部との当接性（密接性）がより高まる。
【００１６】
前記隣接部材及び前記絶縁部材の少なくとも何れか一方は、前記第二方向と直交する方向において前記対向凸部よりも外側に位置し、且つ前記第二方向と直交する方向から見て少なくとも前記分断部及び前記対向凸部における前記分断部の両側の部分と重複する外側凸部を有する、ようにしてもよい。
【００１７】
かかる構成によれば、水滴が分断部に向かって進んだとしても、外側凸部が水滴の進行を阻止する。従って、対向凸部の変形の容易性を高めるために分断部が設けられても、水滴が対向凸部を超えて締結部材にまで到達することが阻止される。
【００１８】
前記隣接部材及び前記絶縁部材の少なくとも何れか他方は、前記外側凸部が入り込む凹部を有する、ようにしてもよい。
【００１９】
このようにすれば、外側凸部が完全に分断部を覆った状態になる。従って、対向凸部の包囲する領域への水滴の進入がより確実に防止される。
【発明の効果】
【００２０】
以上より、本実施形態によれば、水滴の付着に伴う液絡の発生を抑制できる。
【図面の簡単な説明】
【００２１】
【図１】図１は、本実施形態に係る蓄電装置の斜視図である。
【図２】図２は、前記蓄電装置の一部を省略した状態の分解斜視図である。
【図３】図３は、前記蓄電装置が備える蓄電素子の斜視図である。
【図４】図４は、前記蓄電素子の分解斜視図である。
【図５】図５は、前記蓄電装置が備える第一隣接部材の斜視図である。
【図６】図６は、前記蓄電装置が備える第二隣接部材の斜視図である。
【図７】図７は、前記蓄電装置が備える第三隣接部材の斜視図である。
【図８】図８は、前記蓄電装置が備える一対の連結部材の斜視図である。
【図９】図９は、前記蓄電装置が備える一対のインシュレータの斜視図である。
【図１０】図１０は、図９のＸ部拡大図である。
【図１１】図１１は、図１のＸＩ−ＸＩ断面図である。
【図１２】図１２は、図１１のＸＩＩ部の拡大図である。
【発明を実施するための形態】
【００２２】
以下、本発明の一実施形態について、図面を参照しつつ説明する。尚、本実施形態の各構成部材（各構成要素）の名称は、本実施形態におけるものであり、背景技術における各構成部材（各構成要素）の名称と異なる場合がある。
【００２３】
図１及び図２に示す如く、蓄電装置１は、外部端子２０を有する蓄電素子２と、第一方向（本実施形態ではＸ軸方向という）において蓄電素子２と隣接する隣接部材３と、少なくともＸ軸方向と直交する第二方向（本実施形態ではＹ軸方向という）において蓄電素子２及び隣接部材３と対向する部位を有し、蓄電素子２及び隣接部材３を保持する保持部材４とを備える。本実施形態において、蓄電装置１は、Ｘ軸方向に並ぶ複数の蓄電素子２と、蓄電素子２に対応して配置される複数の隣接部材３と、該複数の蓄電素子２及び複数の隣接部材３を一括保持する保持部材４とを備える。また、蓄電装置１は、保持部材４と複数の蓄電素子２との間に配置されるインシュレータ（絶縁部材）５と、複数の隣接部材３のうちの特定の隣接部材３と保持部材４とを締結する締結部材６とを備える。さらに、蓄電装置１は、蓄電素子２の外部端子２０に接続されるバスバ７を備える。
【００２４】
蓄電素子２には、一次電池、二次電池、キャパシタ等がある。本実施形態の蓄電素子２は、充放電可能な非水電解質二次電池である。より詳しくは、本実施形態の蓄電素子２は、リチウムイオンの移動に伴って生じる電子移動を利用したリチウムイオン二次電池である。
【００２５】
蓄電素子２は、図３に示す如く、外部端子２０を含む。具体的には、蓄電素子２は、図４に示す如く、電極体２２と、電極体２２を電解液と共に収容するケース２１と、少なくとも一部がケース２１の外側に露出する外部端子２０と、電極体２２と外部端子２０とを接続する集電体２３と、電極体２２とケース２１との間に配置されるケース内絶縁体２４とを備える。
【００２６】
ケース２１は、開口を有するケース本体２１０と、外部端子２０が配置され、ケース本体２１０の開口を塞ぐ（閉じる）蓋板２１１とを有する。本実施形態のケース本体２１０は、有底角筒状であり、ケース２１は、直方体形状（六面形状）である。これに伴い、ケース２１の外面は、図３に示す如く、外部端子２０の配置される第一端面２１Ａ（蓋板２１１の外面）と、Ｘ軸方向及びＹ軸方向のそれぞれと直交する第三方向（本実施形態においてはＺ軸方向という）において第一端面２１Ａに対して反対側を向く第二端面２１Ｂと、Ｘ軸方向において相反する方向に向く一対の第三端面２１Ｃと、Ｙ軸方向において相反する方向に向く一対の第四端面２１Ｄとを含む。
【００２７】
本実施形態において、ケース２１は、Ｘ軸方向に扁平である。これに伴い、一対の第三端面２１Ｃのそれぞれは、第一端面２１Ａ、第二端面２１Ｂ、及び一対の第四端面２１Ｄのそれぞれよりも広い幅広な面である。本実施形態において、複数の蓄電素子２は、第三端面２１Ｃ（幅広な面）を対向させた状態で、Ｘ軸方向に並んでいる（図２参照）。
【００２８】
電極体２２では、正極と負極とがセパレータを介して交互に積層されている。本実施形態の電極体２２は、図４に示す如く、長尺な正極及び負極がセパレータを介して交互に積層された状態で巻回されている、いわゆる捲回型の電極体である。この電極体２２においてリチウムイオンが正極と負極との間を移動することにより、蓄電素子２が充放電する。
【００２９】
図２に戻り、隣接部材３は、Ｘ軸方向に並ぶ蓄電素子２の間、又は蓄電素子２と該蓄電素子２に対してＸ軸方向に並ぶ部材（本実施形態の例では、保持部材４の一部）との間に配置される。本実施形態の蓄電装置１は、複数種類の隣接部材３を含む。具体的には、蓄電装置１は、隣接部材３として、複数の蓄電素子２の並ぶ中央位置において隣り合う蓄電素子２の間に配置される第一隣接部材３１と、中央位置以外の位置で隣り合う蓄電素子２の間に配置される第二隣接部材３２と、Ｘ軸方向において最も端にある蓄電素子２の外側に配置される第三隣接部材３３とを含む。
【００３０】
第一隣接部材３１は、絶縁性を有し、隣り合う蓄電素子２の間に配置されることで蓄電素子２間の間隔（沿面距離等）を確保する。具体的に、第一隣接部材３１は、図５に示す如く、蓄電素子２（ケース本体２１０）と隣接する第一本体部３１０と、第一本体部３１０に対する蓄電素子２の移動を規制する第一規制部３１１とを有する。また、第一隣接部材３１は、保持部材４に対して位置決めを行う位置決め部３１２を有する。
【００３１】
第一本体部３１０は、Ｙ−Ｚ面（Ｙ軸とＺ軸とを含む面）方向に広がり、Ｘ軸方向に厚みを有する。これに伴い、第一隣接部材３１において、第一本体部３１０は、Ｘ軸方向において蓄電素子２の第三端面２１Ｃと対向する。本実施形態の第一本体部３１０は、隣接する蓄電素子２との間に温度調整用の流体（本実施形態の例では空気）が流通可能な流路を形成する。また、第一本体部３１０は、Ｙ軸方向において、インシュレータ５とも対向する。
【００３２】
より具体的に説明する。第一隣接部材３１において、第一本体部３１０は、Ｘ軸方向において外側を向く一対の第一面３１０Ａと、Ｚ軸方向において外側を向く一対の第二面３１０Ｂと、Ｙ軸方向において外側を向く一対の第三面３１０Ｃとを有する。
【００３３】
第一本体部３１０の一対の第一面３１０Ａのそれぞれには、流体を流通させる流路を形成するための複数の溝３１３がＹ軸方向に延びて形成されている。
【００３４】
第一本体部３１０は、Ｚ軸方向に貫通した肉抜き用の複数の孔３１４を有する。これに伴い、複数の孔３１４は、第一本体部３１０の一対の第二面３１０Ｂのそれぞれで開放している。
【００３５】
第一本体部３１０は、第三面３１０Ｃで開放する凹部３１５を有する。本実施形態において、第一本体部３１０は、複数の凹部３１５を有する。複数の凹部３１５は、Ｚ軸方向に間隔をあけて配置される。これに伴い、第一本体部３１０において、凹部３１５の間は中実（実体のある部分）である。
【００３６】
第一規制部３１１は、第一本体部３１０からＸ軸方向に延び、第一本体部３１０と隣接する蓄電素子２（詳しくはケース２１）とＹ−Ｚ面方向の外側から当接することによって該蓄電素子２の第一本体部３１０に対するＹ−Ｚ面方向への相対移動を規制する。
【００３７】
第一隣接部材３１の位置決め部３１２は、保持部材４に対して凹凸嵌合する。具体的には、位置決め部３１２は、第一本体部３１０に連結されたＹ軸方向に延びる軸であり、第一本体部３１０の第三面３１０Ｃから外方に突出している。第一本体部３１０の第三面３１０Ｃにおいて、複数の凹部３１５が開放しているため、位置決め部３１２は、特定の二つの凹部３１５の間に配置される。
【００３８】
第二隣接部材３２は、絶縁性を有し、隣り合う蓄電素子２の間に配置されることで蓄電素子２間の間隔（沿面距離等）を確保する。具体的に、第二隣接部材３２は、図６に示す如く、蓄電素子２（ケース本体２１０）と隣接する第二本体部３２０と、第二本体部３２０に対する蓄電素子２の移動を規制する第二規制部３２１とを有する。
【００３９】
第二本体部３２０は、蓄電素子２の第三端面２１Ｃと対向する部位であり、Ｙ−Ｚ面（Ｙ軸とＺ軸とを含む面）方向に広がる。本実施形態の第二本体部３２０は、隣接する蓄電素子２との間に温度調整用の流体（本実施形態の例では空気）が流通可能な流路を形成する。本実施形態において、第二本体部３２０は、薄肉であり、Ｙ軸方向から見て矩形波型形状に形成される。これにより、Ｘ軸方向における第二本体部３２０の両面に対し、流体の流路を形成する複数の溝部３２２がＹ軸方向に延びて形成される。
【００４０】
第二規制部３２１は、第二本体部３２０からＸ軸方向に延び、第二本体部３２０と隣接する蓄電素子２（詳しくはケース２１）とＹ−Ｚ面方向の外側から当接することによって該蓄電素子２の第二本体部３２０に対するＹ−Ｚ面方向への相対移動を規制する。
【００４１】
第三隣接部材３３は、絶縁性を有し、Ｘ軸方向において蓄電素子２と保持部材４（終端部材４０）との間に配置されることで蓄電素子２と保持部材４（終端部材４０）との間隔（沿面距離等）を確保する。具体的に、第三隣接部材３３は、図７に示す如く、蓄電素子２及び保持部材４との間において蓄電素子２と隣接する第三本体部３３０と、第三本体部３３０に対する蓄電素子２移動を規制する第三規制部３３１とを有する。
【００４２】
第三本体部３３０は、蓄電素子２の第三端面２１Ｃと対向する部位であり、Ｙ−Ｚ面方向に広がる。本実施形態の第三本体部３３０は、隣接する蓄電素子２との間に温度調整用の流体（本実施形態の例では空気）が流通可能な流路を形成する。本実施形態において、第三本体部３３０は、蓄電素子２と対向する面に流体の流路を形成する複数の溝部３３２がＹ軸方向に延びて形成される。
【００４３】
第三規制部３３１は、第三本体部３３０からＸ軸方向に延び、第三本体部３３０と隣接する蓄電素子２（詳しくはケース２１）とＹ−Ｚ面方向の外側から当接することによって該蓄電素子２の第三本体部３３０に対するＹ−Ｚ面方向への相対移動を規制する。
【００４４】
図１及び図２に示す如く、保持部材４は、複数の蓄電素子２と複数の隣接部材３との周囲を囲むことで、複数の蓄電素子２及び複数の隣接部材３をひとまとめに保持する。この保持部材４は、金属等の導電性を有する部材によって構成される。具体的に、保持部材４は、Ｘ軸方向において蓄電素子２の両側に配置される一対の終端部材４０と、一対の終端部材４０を連結する連結部材４１とを含む。
【００４５】
一対の終端部材４０のそれぞれは、Ｘ軸方向の端に配置された蓄電素子２との間に第三隣接部材３３を挟み込むように配置される。この終端部材４０は、Ｙ−Ｚ面方向に広がる。具体的に、終端部材４０は、図２に示す如く、蓄電素子２と対応する輪郭（本実施形態では矩形状の輪郭）を有する本体４００と、本体４００から第三隣接部材３３の第三本体部３３０に向けて突出し且つ該第三隣接部材３３に当接して該第三隣接部材３３を押圧する圧接部４０１とを有する。
【００４６】
一対の連結部材４１は、Ｙ軸方向において複数の蓄電素子２の両側に配置される。一対の連結部材４１のそれぞれは、図２及び図８に示す如く、Ｙ軸方向において蓄電素子２と対向する本体部４１０と、本体部４１０から蓄電素子２の第一端面２１Ａに沿って延びる第一延設部４１１と、本体部４１０から蓄電素子２の第二端面２１Ｂに沿って延びる第二延設部４１２と、本体部４１０から終端部材４０に沿って延びる終端延設部４１３とを有する。
【００４７】
本体部４１０は、Ｘ軸方向に並ぶ複数の蓄電素子２のそれぞれ（詳しくは、各第四端面２１Ｄ）とＹ軸方向において対向する板状の部位である。本実施形態の本体部４１０は、Ｘ−Ｚ面（Ｘ軸とＺ軸とを含む面）に沿った板状で、且つＸ軸方向に長尺な矩形状である。本体部４１０は、Ｘ軸方向に延び且つＺ軸方向に間隔をあけて配置される一対の梁部４１０ａと、Ｚ軸方向に延び且つ一対の梁部４１０ａの端部同士を接続する一対の第一接続部４１０ｂと、Ｚ軸方向に延び且つＸ軸方向の途中位置（本実施形態の例では、Ｘ軸方向に並ぶ複数の蓄電素子２のうちの途中位置に配置された蓄電素子２とＹ軸方向から見て重なる位置）において一対の梁部４１０ａ同士を接続する第二接続部４１０ｃと、Ｚ軸方向に延び且つＸ軸方向の途中位置（本実施形態の例では、Ｘ軸方向の途中位置に配置された第一隣接部材３１とＹ軸方向から見て重なる位置）において一対の梁部４１０ａ同士を接続する第三接続部４１０ｄとを有する。
【００４８】
一対の梁部４１０ａのうちの一方は、各蓄電素子２の第四端面２１Ｄにおける第一端面２１Ａ側の端部に沿ってＸ軸方向に延びる。また、一対の梁部４１０ａのうちの他方は、各蓄電素子２の第四端面２１Ｄにおける第二端面２１Ｂ側の端部に沿ってＸ軸方向に延びる。また、本実施形態の第二接続部４１０ｃは、Ｘ軸方向に間隔を空けて複数配置される。
【００４９】
第一延設部４１１は、本体部４１０（詳しくは、梁部４１０ａ）から各蓄電素子２の第一端面２１Ａに沿って延び且つ一方の終端部材４０から他方の終端部材４０まで延びる板状の部位である。本実施形態の第一延設部４１１は、蓄電素子２の第一端面２１Ａ側にある本体部４１０の端部からＹ軸方向に延び、且つ一方の終端部材４０から他方の終端部材４０までＸ軸方向に連続して延びている。
【００５０】
第二延設部４１２は、本体部４１０（詳しくは、梁部４１０ａ）から各蓄電素子２の第二端面２１Ｂに沿って延び且つ一方の終端部材４０から他方の終端部材４０まで延びる板状の部位である。本実施形態の第二延設部４１２は、蓄電素子２の第二端面２１Ｂ側にある本体部４１０の端部からＹ軸方向に延び、且つ一方の終端部材４０から他方の終端部材４０までＸ軸方向に連続して延びている。Ｙ軸方向において、第二延設部４１２の寸法は、第一延設部４１１の寸法より大きい。
【００５１】
終端延設部４１３は、本体部４１０（詳しくは、第一接続部４１０ｂ）から終端部材４０に沿って延びる板状の部位である。本実施形態において、終端延設部４１３は、本体部４１０のＸ軸方向の端部からＹ軸方向に延びる。終端延設部４１３は、連結部材４１における終端部材４０に固定される部位であり、該固定によって終端部材４０と連結部材４１とが連結される。本実施形態の終端延設部４１３は、ビスＢによって終端部材４０に締結される。
【００５２】
第一接続部４１０ｂ及び第二接続部４１０ｃは、Ｘ軸方向において交互に並ぶ蓄電素子２及び隣接部材３（第二隣接部材３２、第三隣接部材３３）のうち、蓄電素子２のみに重なるように配置される。すなわち、第一接続部４１０ｂ及び第二接続部４１０ｃは、隣接部材３（第二隣接部材３２、第三隣接部材３３）によって形成される流体の流路の入口及び出口になる領域を躱して配置される。本実施形態において、第二接続部４１０ｃは、第一接続部４１０ｂと第三接続部４１０ｄとの間に複数配置される。
【００５３】
第三接続部４１０ｄは、Ｙ軸方向で第一隣接部材３１と重なる位置に配置される。具体的には、第三接続部４１０ｄは、第一隣接部材３１の第一本体部３１０（第三面３１０Ｃ）のＺ軸方向に延びる中心線に対し、Ｚ軸方向に延びる自身の中心線をＹ軸方向から見て一致又は略一致させて配置される。これを前提に、第三接続部４１０ｄの幅は、第一隣接部材３１の第一本体部３１０の厚み（Ｘ軸方向の外寸）より小さく設定される。すなわち、第三接続部４１０ｄは、第一隣接部材３１によって形成される流体の流路の入口及び出口になる領域を躱して配置される。
【００５４】
第三接続部４１０ｄは、図８に示す如く、Ｙ軸方向に貫通した貫通孔４２０，４２１を有する。具体的には、第三接続部４１０ｄは、第一隣接部材３１の位置決め部３１２と対応する位置に配置された貫通孔（以下、第一貫通孔という）４２０を有する。第一貫通孔４２０は、第一隣接部材３１の位置決め部３１２が挿入可能に形成される。本実施形態において、第一隣接部材３１の第一本体部３１０の単一の第三面３１０Ｃに対し、二つの位置決め部３１２がＺ軸方向に間隔をあけて設けられている。これに伴い、第一貫通孔４２０は、二つあり、該二つの第一貫通孔４２０は、二つの位置決め部３１２の配置に合わせて設けられている。
【００５５】
また、第三接続部４１０ｄは、第一隣接部材３１に対する締結位置に対応して設けられた貫通孔（以下、第二貫通孔という）４２１を有する。本実施形態において、保持部材４（連結部材４１）の第一隣接部材３１に対する締結位置は、第一隣接部材３１における第一本体部３１０の第三面３１０Ｃの中実部分（凹部３１５間）に設定される。これに伴い、保持部材４（連結部材４１）において、第二貫通孔４２１は、第一隣接部材３１における第一本体部３１０の第三面３１０Ｃの中実部分（凹部３１５間）と対応する位置に配置される。
【００５６】
本実施形態において、保持部材４（連結部材４１）の第一隣接部材３１に対する締結位置は、Ｚ軸方向に間隔をあけた複数個所（三か所）に設定される。これに伴い、第二貫通孔４２１は、Ｚ軸方向に間隔をあけて複数（三つ）設けられる。なお、第一貫通孔４２０が二つ設けられるとともに、第二貫通孔４２１が三つ設けられるに伴い、本実施形態において、第一貫通孔４２０と第二貫通孔４２１とがＺ軸方向において交互に配置される。
【００５７】
インシュレータ５は、絶縁性を有する。本実施形態において、インシュレータ５は、樹脂成型品である。インシュレータ５は、図２に示す如く、複数の蓄電素子２と連結部材４１との間に配置される。インシュレータ５は、少なくとも連結部材４１における蓄電素子２と対向する面（領域）を覆う。これにより、インシュレータ５は、保持部材４と、複数の蓄電素子２との間を絶縁する。具体的に、インシュレータ５は、図９に示す如く、本体部４１０を覆う本体被覆部５０と、第一延設部４１１を覆う第一被覆部５１と、第二延設部４１２を覆う第二被覆部５２とを有する。
【００５８】
本体被覆部５０は、本体部４１０における蓄電素子２側を向く面（以下、対向面という）を覆う。本体被覆部５０は、本体部４１０と対応する形状を有する。即ち、本体被覆部５０は、梁部４１０ａにおける蓄電素子２との対向面を覆う一対の梁部被覆部５００と、第一接続部４１０ｂにおける蓄電素子２との対向面を覆う一対の第一接続被覆部５０１と、第二接続部４１０ｃにおける蓄電素子２との対向面を覆う複数の第二接続被覆部５０２と、第三接続部４１０ｄにおける第一隣接部材３１との対向面を覆う第三接続被覆部５０３とを有する。
【００５９】
一対の梁部被覆部５００は、梁部４１０ａと同様に、それぞれＸ軸方向に延び、Ｚ軸方向に間隔をあけて配置される。
【００６０】
第一接続被覆部５０１は、第一接続部４１０ｂと対応して配置され、第二接続被覆部５０２は、第二接続部４１０ｃと対応して配置される。具体的には、第一接続被覆部５０１及び第二接続被覆部５０２は、Ｘ軸方向において交互に並ぶ蓄電素子２及び隣接部材３（第二隣接部材３２、第三隣接部材３３）のうち、蓄電素子２のみに重なるように配置される。すなわち、第一接続被覆部５０１及び第二接続被覆部５０２は、隣接部材３（第二隣接部材３２、第三隣接部材３３）によって形成される流体の流路の入口及び出口になる領域を躱して配置される。本実施形態において、第二接続被覆部５０２は、第一接続被覆部５０１と第三接続被覆部５０３との間に複数配置される。
【００６１】
第三接続被覆部５０３は、Ｙ軸方向で第一隣接部材３１と重なる位置に配置される。具体的には、第三接続被覆部５０３は、第一隣接部材３１の第一本体部３１０（第三面３１０Ｃ）のＺ軸方向に延びる中心線に対し、Ｚ軸方向に延びる自身の中心線をＹ軸方向から見て一致又は略一致させて配置される。これを前提に、第三接続被覆部５０３の幅は、第一隣接部材３１の第一本体部３１０の厚み（Ｘ軸方向の寸法）より小さく設定される。すなわち、第三接続被覆部５０３は、第一隣接部材３１によって形成される流体の流路の入口及び出口になる領域を躱して配置される。
【００６２】
第三接続被覆部５０３は、Ｙ軸方向に貫通した貫通孔５２０，５２１を有する。具体的には、第三接続被覆部５０３は、第一隣接部材３１の位置決め部３１２と対応する位置に配置された貫通孔（以下、第一貫通孔という）５２０を有する。第一貫通孔５２０は、第一隣接部材３１の位置決め部３１２を挿入可能に形成される。本実施形態において、第一隣接部材３１の第一本体部３１０の単一の第三面３１０Ｃに対し、二つの位置決め部３１２がＺ軸方向に間隔をあけて設けられている。これに伴い、第一貫通孔５２０は、二つあり、該二つの第一貫通孔５２０は、二つの位置決め部３１２の配置に合わせて設けられている。
【００６３】
また、第三接続被覆部５０３は、第一隣接部材３１に対する締結位置に対応して設けられた貫通孔（以下、第二貫通孔という）５２１を有する。本実施形態において、保持部材４（連結部材４１）の第一隣接部材３１に対する締結位置は、第一隣接部材３１における第一本体部３１０の第三面３１０Ｃの中実部分（凹部３１５間）に設定される。これに伴い、第二貫通孔５２１は、第一隣接部材３１における第一本体部３１０の第三面３１０Ｃの中実部分（凹部３１５間）と対応する位置に配置される。
【００６４】
本実施形態において、保持部材４（連結部材４１）の第一隣接部材３１に対する締結位置は、Ｚ軸方向に間隔をあけた複数個所（三か所）に設定される。これに伴い、インシュレータ５の第二貫通孔５２１は、Ｚ軸方向に間隔をあけて複数（三つ）設けられる。なお、インシュレータ５において、第一貫通孔５２０が二つ設けられるとともに、第二貫通孔５２１が三つ設けられるに伴い、本実施形態においては、第一貫通孔５２０と第二貫通孔５２１とがＺ軸方向において交互に配置される。
【００６５】
本実施形態において、インシュレータ５は、図９及び図１０に示す如く、保持部材４（連結部材４１）との締結位置の外側に配置される対向凸部５３を備える。すなわち、インシュレータ５は、保持部材４（連結部材４１）の第一隣接部材３１に対する締結位置に対応する第二貫通孔５２１の外周に沿った対向凸部５３を備える。
【００６６】
本実施形態において、インシュレータ５は、第三接続被覆部５０３に第二貫通孔５２１が三つ設けられているが、特定の第二貫通孔５２１のみ対応して設けられる。すなわち、対向凸部５３は、結露等によって付着した水滴が下側に向けて垂れ落ちること（上下方向における下側に集まること）を考慮し、対向凸部５３は、その水滴の影響を受けやすい位置にある第二貫通孔５２１に対応して設けられている。
【００６７】
本実施形態において、蓄電装置１が蓄電素子２の外部端子２０を上側にした姿勢で配置されることを想定し、対向凸部５３は、Ｚ軸方向に並ぶ三つの第二貫通孔５２１のうちの最も端にある第二貫通孔５２１であって、蓄電素子２の外部端子２０の存在する側とは反対側にある第二貫通孔５２１のみに対応して配置されている。
【００６８】
対向凸部５３は、インシュレータ５の第一隣接部材３１と対向する面に接続される。本実施形態において、第三接続被覆部５０３が第一隣接部材３１の第三面３１０Ｃと対向するため、対向凸部５３は、第三接続被覆部５０３の第一隣接部材３１の第三面３１０Ｃと対向する面に接続される。これに伴い、対向凸部５３は、第三接続被覆部５０３から第一隣接部材３１に向けて（Ｙ軸方向に）突出する。対向凸部５３のＹ軸方向の突出量は、当該対向凸部５３の先端が第一隣接部材３１の第三面３１０Ｃに当接可能になるように設定される。本実施形態においては、対向凸部５３のＹ軸方向の突出量は、当該対向凸部５３の先端が第一隣接部材３１の第三面３１０Ｃに圧接可能になるように設定される。
【００６９】
対向凸部５３は、弾性変形可能である。すなわち、本実施形態において、対向凸部５３は、第一隣接部材３１の第三面３１０Ｃに対する圧接に伴って弾性変形するように構成される。対向凸部５３は、樹脂成型品であるインシュレータ５の一部と構成されるため、対向凸部５３の径方向における厚みは、弾性変形可能な厚みに設定される。
【００７０】
本実施形態において、対向凸部５３の変形容易性を考慮し、図１０に示す如く、対向凸部５３は、第二貫通孔５２１の周囲（第二貫通孔５２１に挿通される締結部材６の周囲）の一部において分断されている。すなわち、インシュレータ５は、対向凸部５３を第二貫通孔５２１（該第二貫通孔５２１に挿通される締結部材６）の外周方向で分断する分断部５３０を備える。
【００７１】
具体的には、対向凸部５３は、第二貫通孔５２１の外周に対して半周よりも長い範囲で沿っている。これにより、第二貫通孔５２１の周方向において、第二貫通孔５２１の半径よりも小さな範囲で開放した分断部５３０が形成される。すなわち、対向凸部５３は、第二貫通孔５２１を取り囲んで有端環状に形成され、対向凸部５３における周方向の両端が分断部５３０を画定する。これに伴い、分断部５３０は、対向凸部５３の突出方向及び突出方向と直交する方向で開放している。本実施形態において分断部５３０は、対向凸部５３を周方向で完全に分断している。
【００７２】
本実施形態において、分断部５３０は、Ｚ軸方向において蓄電素子２の外部端子２０が存在する側に位置している。すなわち、蓄電装置１が蓄電素子２の外部端子２０を上側に配置した状態において、分断部５３０が第二貫通孔５２１に対して上側に位置する。
【００７３】
本実施形態において、対向凸部５３は、自身の突出方向における先端側ほど薄肉である。すなわち、対向凸部５３は、突出方向における先端側が基端側よりも容易に弾性変形するようになっている。
【００７４】
インシュレータ５は、分断部５３０を備えるに伴い、対向凸部５３の外側で分断部５３０と対向する外側凸部５４を有する。
【００７５】
外側凸部５４は、インシュレータ５の第一隣接部材３１と対向する面に接続される。本実施形態において、第三接続被覆部５０３が第一隣接部材３１の第三面３１０Ｃと対向するため、外側凸部５４は、第三接続被覆部５０３の第一隣接部材３１の第三面３１０Ｃと対向する面に接続される。これに伴い、外側凸部５４は、第三接続被覆部５０３から第一隣接部材３１に向けて（Ｙ軸方向に）突出している。外側凸部５４のＹ軸方向の突出量は、対向凸部５３よりも多く設定される。すなわち、外側凸部５４は、第一隣接部材３１の第三面３１０Ｃで開放する凹部３１５内に侵入するように形成される。
【００７６】
外側凸部５４の突出方向に対して直交する方向における外側凸部５４の長さは、同方向における分断部５３０の開放寸法より大きい。本実施形態において、外側凸部５４は、Ｙ軸方向から見て円弧状に形成されており、この外側凸部５４の両端を結ぶ直線寸法（弦の寸法）は、同方向における分断部５３０の開放寸法よりも大きく設定される。本実施形態において、蓄電装置１が蓄電素子２の外部端子２０を上側に配置した状態において、分断部５３０が第二貫通孔５２１に対して上側に位置するため、外側凸部５４は、第二貫通孔５２１及び分断部５３０よりも上側に位置している。
【００７７】
第一被覆部５１は、少なくとも第一延設部４１１の蓄電素子２と対向する面（領域）を覆う。本実施形態の第一被覆部５１は、第一延設部４１１における蓄電素子２（第一端面２１Ａ）との対向面と、第一延設部４１１における蓄電素子２と反対側の面との両面を覆う。
【００７８】
第二被覆部５２は、第二延設部４１２における蓄電素子２（第二端面２１Ｂ）と対向する面（対向面）４１２Ａに沿って第二延設部４１２と本体部４１０との境界位置から該第二延設部４１２の先端（Ｙ軸方向の先端）まで延びると共に、該先端で折り返して該第二延設部４１２における蓄電素子２と反対側の面（外面）４１２Ｂに沿って延びる。これにより、第二被覆部５２は、第二延設部４１２を包み込み、第二延設部４１２の両面４１２Ａ，４１２Ｂを覆う。すなわち、第二被覆部５２の先端部（Ｙ軸方向の先端部）は、第二延設部４１２の先端部が差し込まれる袋状である。
【００７９】
図２に示す如く、締結部材６は、第一隣接部材３１に固定された雌ネジ部材６０と、該雌ネジ部材６０と螺合する雄ネジ部材６１とを含む。本実施形態において、雌ネジ部材６０は、第一隣接部材３１に埋め込まれた状態で固定されたインサートナットである。すなわち、雌ネジ部材６０は、図５に示す如く、第一隣接部材３１の第三面３１０Ｃの実体のある部分に埋め込み固定されている。雌ネジ部材６０は、ネジ孔を有し、該ネジ孔をＹ軸方向に開放させている。上述の如く、保持部材４（連結部材４１）の第一隣接部材３１に対する締結位置が、Ｚ軸方向に間隔をあけた複数個所（三か所）に設定されため、雌ネジ部材６０は、締結位置に対応してＺ軸方向に間隔をあけて配置される。雄ネジ部材６１は、一般的なボルトであり、連結部材４１の第二貫通孔４２１及びインシュレータ５の第二貫通孔５２１に挿通され、第一隣接部材３１に固定された雌ネジ部材６０と螺合される。
【００８０】
図１及び図２に戻り、バスバ７は、金属等の導電性を有する板状の部材である。バスバ７は、異なる蓄電素子２の外部端子２０同士を導通させる。バスバ７は、蓄電装置１において複数（複数の蓄電素子２と対応する数）設けられる。本実施形態の複数のバスバ７は、蓄電装置１に含まれる複数の蓄電素子２の全てを直列に接続する（導通させる）。
【００８１】
本実施形態の蓄電装置１は、以上の通りであり、図１１に示す如く、締結部材６の雄ネジ部材６１が、第一隣接部材３１に取り付けられた雌ネジ部材６０に螺合されることで、第一隣接部材３１と保持部材４（連結部材４１）とが締結される。具体的には、図１２に示す如く、締結部材６の雄ネジ部材６１が連結部材４１の第二貫通孔４２１及びインシュレータ５の第二貫通孔５２１に挿通され、雌ネジ部材６０に螺合される。この雄ネジ部材６１の雌ネジ部材６０に対する締め付けにより、第一隣接部材３１と保持部材４（連結部材４１）との間にあるインシュレータ５に対して締め付け作用が生じる。これに伴い、インシュレータ５の対向凸部５３が第一隣接部材３１の凹部３１５間（雌ネジ部材６０の周囲にある実体のある部分）に押し付けられ、弾性変形する。特に、対向凸部５３は、突出方向の先端側ほど薄肉にされているため、対向凸部５３の先端部は、弾性変形によって、第一隣接部材３１の外面（第三面３１０Ｃ）に沿った姿勢になる。これにより、対向凸部５３は、第一隣接部材３１に対して圧接した状態（液密な状態）になる。本実施形態において、インシュレータ５が分断部５３０を備えるため、対向凸部５３が弾性変形するに伴い、対向凸部５３の周方向の両端（分断部５３０画定する両端）の少なくとも先端側が接近する。すなわち、対向凸部５３の第一隣接部材３１に対する圧接によって、対向凸部５３が径方向に倒れ込んだ状態になり、その結果、対向凸部５３の周方向の両端（分断部５３０画定する両端）の少なくとも先端側が接近する。
【００８２】
また、この状態において、インシュレータ５の外側凸部５４は、第一隣接部材３１の第三面３１０Ｃで開放する凹部３１５に侵入した状態になる。従って、対向凸部５３の周方向の両端間（分断部５３０）を覆った状態になる。
【００８３】
これにより、対向凸部５３が締結部材６の外周に対して該外周の半周よりも広い範囲で対向するため、結露等によって蓄電素子２等に水滴が付着し、その水滴が第一隣接部材３１とインシュレータ５との間に侵入しても、締結部材６の外周と対向する（締結部材６を包囲する）対向凸部５３の存在により、インシュレータ５の第二貫通孔５２１を介して導電性のある締結部材６に水滴が到達することが阻止される。そして、蓄電装置１が蓄電素子２の外部端子２０を上側にした姿勢（ケース２１の第一端面２１Ａが第二端面２１Ｂよりも上側にある姿勢）で配置された場合において、水滴が垂れ落ちてきたとしても、その水滴が分断部５３０に到達する前に外側凸部５４に当たるため、インシュレータ５の第二貫通孔５２１を介して導電性のある締結部材６に水滴が到達することが阻止される。従って、水滴の付着に伴う液絡（短絡）の発生が抑制される。
【００８４】
以上の通り、蓄電装置１は、蓄電素子２と、第一方向において蓄電素子２と隣り合う絶縁性の隣接部材３（第一隣接部材３１）と、第一方向と直交する第二方向において蓄電素子２及び隣接部材３（第一隣接部材３１）の双方と対向する導電性の対向部材（連結部材）４１と、蓄電素子２及び隣接部材３（第一隣接部材３１）の双方と対向部材（連結部材）４１との間に配置される絶縁部材（インシュレータ）５と、第二方向において絶縁部材（インシュレータ）５を貫通し、隣接部材３（第一隣接部材３１）と対向部材（連結部材）４１とを締結する導電性の締結部材６とを備え、絶縁部材（インシュレータ）５は、隣接部材３（第一隣接部材３１）に向けて突出し且つ締結部材６の外周と対向する対向凸部５３を備え、対向凸部５３は、隣接部材３（第一隣接部材３１）に当接する。
【００８５】
かかる構成によれば、絶縁部材（インシュレータ）５が蓄電素子２と対向部材（連結部材）４１との間に配置されるため、絶縁部材（インシュレータ）５が対向部材（連結部材）４１を蓄電素子２から絶縁する。対向凸部５３は、隣接部材３（第一隣接部材３１）と絶縁部材（インシュレータ）５との間で導電性の締結部材６の外周と対向する（締結部材６までの経路に介在する）ため、水滴が絶縁部材（インシュレータ）５と隣接部材３（第一隣接部材３１）との間に侵入しても締結部材６にまで到達できない。すなわち、対向凸部５３が、水滴の進行を阻止する。そして、絶縁部材（インシュレータ）５が絶縁性であるため、対向凸部５３も絶縁性であり、進行の阻止に伴って対向凸部５３に水滴が付着しても、対向凸部５３と締結部材６とが導通することがない。従って、水滴の付着に伴う液絡（短絡）の発生が抑制される。
【００８６】
対向凸部５３は、弾性変形可能であり、絶縁部材（インシュレータ）５は、対向凸部５３を締結部材６の外周方向で分断した分断部５３０を備える。
【００８７】
かかる構成によれば、分断部５３０の存在により、対向凸部５３の周方向における連続性が断たれる。これに伴い、対向凸部５３が隣接部材３（第一隣接部材３１）と当接した状態において、対向凸部５３が弾性変形し易くなり、相手方に対する当接性（密接性）が高まる。
【００８８】
対向凸部５３は、当該対向凸部５３の突出方向における先端側ほど薄肉である。
【００８９】
かかる構成によれば、対向凸部５３が隣接部材３（第一隣接部材３１）と当接した状態で該対向凸部５３の先端側が変形し易くなる。これにより、隣接部材３（第一隣接部材３１）と対向凸部５３との当接性（密接性）がより高まる。
【００９０】
絶縁部材（インシュレータ）５は、第二方向と直交する方向において対向凸部５３よりも外側に位置し、且つ第二方向と直交する方向から見て少なくとも分断部５３０及び対向凸部５３における分断部５３０の両側の部分と重複する外側凸部５４を有する。
【００９１】
かかる構成によれば、水滴が分断部５３０に向かって進んだとしても、外側凸部５４が水滴の進行を阻止する。従って、対向凸部５３の変形の容易性を高めるために分断部５３０が設けられても、水滴が対向凸部５３を超えて締結部材６にまで到達することが阻止される。
【００９２】
隣接部材３（第一隣接部材３１）は、外側凸部５４が入り込む凹部３１５を有する。
【００９３】
かかる構成によれば、外側凸部５４が完全に分断部５３０を覆った状態になる。従って、対向凸部５３の包囲する領域への水滴の進入がより確実に防止される。
【００９４】
尚、本発明の蓄電装置は、上記実施形態に限定されるものではなく、本発明の要旨を逸脱しない範囲内において種々変更を加え得ることは勿論である。例えば、ある実施形態の構成に他の実施形態の構成を追加することができ、また、ある実施形態の構成の一部を他の実施形態の構成に置き換えることができる。さらに、ある実施形態の構成の一部を削除することができる。
【００９５】
上記実施形態において、対向凸部５３の変形容易性を考慮し、対向凸部５３が有端環状に形成されることで対向凸部５３の周方向の両端が分断部５３０を画定したが、これに限定されない。例えば、対向凸部５３の突出方向の先端部の一部に切欠きを設け、この切欠きで対向凸部５３を部分的に分断した分断部５３０を形成してもよい。すなわち、分断部５３０は、対向凸部５３の先端の連続性を断つことができれば、種々態様で形成されればよい。従って、分断部５３０は、線状の切り込みであってもよい。
【００９６】
上記実施形態において、対向凸部５３の変形容易性を考慮し、インシュレータ５が分断部５３０を備えたが、これに限定されない。例えば、対向凸部５３は、締結部材６の外周の全周に亘って対向するように無端環状にされてもよい。すなわち、対向凸部５３は、相手方に当接する先端が周方向において連続するように形成されてもよい。
【００９７】
上記実施形態において、第一隣接部材３１と対向部材である保持部材４（連結部材４１）との締結位置が複数設定され、そのうちの水滴の影響の受け易い締結位置に対して対向凸部５３が設けられたが、これに限定されない。例えば、上記実施形態のように、第一隣接部材３１と連結部材４１との締結位置が複数設定された場合、その締結位置のそれぞれに対して対向凸部５３が設けられてもよい。
【００９８】
上記実施形態において、蓄電素子２の外部端子２０が上側になる姿勢で蓄電装置１が配置されたときに、分断部５３０が第二貫通孔５２１の上側に位置するようにしたが、これに限定されない。分断部５３０は何れの位置に設けられてもよい。蓄電装置１の設置の態様が明らかである場合、蓄電装置１がその設置の態様とされたときに、分断部５３０が第二貫通孔５２１の上側に位置するようにし、さらに分断部５３０の上側に外側凸部５４が位置するようにしてもよい。また、蓄電装置１の設置の態様が明らかである場合、その設置の態様で第二貫通孔５２１の下側に分断部５３０が位置するようにしてもよい。この場合、上方から垂れ落ちる水滴が分断部５３０に侵入する可能性が低いため、外側凸部５４を設ける必要はない。
【００９９】
上記実施形態において、インシュレータ５が対向凸部５３を備えたが、これに限定されない。例えば、第一隣接部材３１が、インシュレータ５に向けて突出する対向凸部５３を備えてもよい。また、インシュレータ５が第一隣接部材３１に向けて突出する対向凸部５３を備えるとともに、第一隣接部材３１がインシュレータ５に向けて突出する対向凸部５３を備えてもよい。この場合、インシュレータ５の対向凸部５３と第一隣接部材３１の対向凸部５３とが合致するようにしてもよい。また、インシュレータ５の対向凸部５３又は第一隣接部材３１の対向凸部５３の何れか一方が、インシュレータ５の対向凸部５３又は第一隣接部材３１の対向凸部５３の何れか他方の外側（Ｙ軸方向に対して直交する方向における外側）に位置し、それぞれの対向凸部５３が相手方に当接又は圧接してもよい。
【０１００】
上記実施形態において、インシュレータ５が対向凸部５３とともに外側凸部５４を備えたが、これに限定されない。例えば、外側凸部５４を設ける場合、インシュレータ５が対向凸部５３を備え、第一隣接部材が外側凸部５４を備えてもよい。また、第一隣接部材３１が対向凸部５３を備え、インシュレータ５が外側凸部５４を備えてもよい。
【０１０１】
上記実施形態において、対向凸部５３が弾性変形可能に構成されたが、これに限定されない。例えば、少なくとも対向凸部５３の突出方向の先端部が相手方に対する密接性（当接性）を有していれば、対向凸部５３そのものが弾性変形不能であってもよい。
【０１０２】
上記実施形態において、対向凸部５３が突出方向の先端側ほど薄肉に形成されたが、これに限定されない。対向凸部５３は、突出方向の全長に亘って同一の厚さにされてもよい。但し、相手方との密接性を確保できることが前提である。
【０１０３】
上記実施形態において、締結部材６が第一隣接部材３１と一体的な雌ネジ部材６０と、この雌ネジ部材６０を螺合する雄ネジ部材６１を含んだが、これに限定されない。例えば、締結部材６は、第一隣接部材３１と一体的な雄ネジ部材６１（所謂インサートボルト）であって、インシュレータ（絶縁部材）５及び保持部材（対向部材）４の貫通孔（第二貫通孔４２１，第二貫通孔５２１）に挿通される雄ネジ部材６１と、雄ネジ部材６１に螺合される雌ネジ部材（ナット）６０とを含んでもよい。
【０１０４】
上記実施形態において、締結部材６がＹ軸方向で保持部材（対向部材）４及びインシュレータ（絶縁部材）５を貫通し、保持部材（対向部材）４とインシュレータ（絶縁部材）５を締結したが、これに限定されない。例えば、締結部材６がＺ軸方向で保持部材（対向部材）４及びインシュレータ（絶縁部材）５を貫通し、保持部材（対向部材）４とインシュレータ（絶縁部材）５を締結してもよい。すなわち、上記実施形態において、第二方向をＹ軸方向とし、第三方向をＺ軸方向としたが、例えば、第二方向をＺ軸方向とし、第三方向をＹ軸方向としてもよい。この場合においても、蓄電装置１の設置される姿勢を考慮し、結露等による水滴が付着する虞のある締結部材６を基準に対向凸部５３が設けられればよい。また、分断部５３０が設けられる場合には、その分断部５３０を基準に外側凸部５４が設けられればよい。
【０１０５】
また、上記実施形態においては、蓄電素子２が充放電可能な非水電解質二次電池（例えばリチウムイオン二次電池）として用いられる場合について説明したが、蓄電素子２の種類や大きさ（容量）は任意である。また、上記実施形態において、蓄電素子２の一例として、リチウムイオン二次電池について説明したが、これに限定されるものではない。例えば、本発明は、種々の二次電池、その他、一次電池や、電気二重層キャパシタ等のキャパシタの蓄電素子２にも適用可能である。
【符号の説明】
【０１０６】
１…蓄電装置、２…蓄電素子、３…隣接部材、４…保持部材、５…インシュレータ（絶縁部材）、６…締結部材、７…バスバ、２０…外部端子、２１…ケース、２１Ａ…第一端面、２１Ｂ…第二端面、２１Ｃ…第三端面、２１Ｄ…第四端面、２２…電極体、２３…集電体、２４…ケース内絶縁体、３１…第一隣接部材、３２…第二隣接部材、３３…第三隣接部材、４０…終端部材、４１…連結部材（対向部材）、５０…本体被覆部、５１…第一被覆部、５２…第二被覆部、５３…対向凸部、５４…外側凸部、６０…雌ネジ部材、６１…雄ネジ部材、２１０…ケース本体、２１１…蓋板、３１０…第一本体部、３１０Ａ…第一面、３１０Ｂ…第二面、３１０Ｃ…第三面、３１１…第一規制部、３１２…位置決め部、３１３…溝、３１４…孔、３１５…凹部、３２０…第二本体部、３２１…第二規制部、３２２…溝部、３３０…第三本体部、３３１…第三規制部、３３２…溝部、４００…本体、４０１…圧接部、４１０…本体部、４１０ａ…梁部、４１０ｂ…第一接続部、４１０ｃ…第二接続部、４１０ｄ…第三接続部、４１１…第一延設部、４１２…第二延設部、４１２Ａ，４１２Ｂ…面、４１３…終端延設部、４２０…第一貫通孔（貫通孔）、４２１…第二貫通孔（貫通孔）、５００…梁部被覆部、５０１…第一接続被覆部、５０２…第二接続被覆部、５０３…第三接続被覆部、５２０…第一貫通孔（貫通孔）、５２１…第二貫通孔（貫通孔）、５３０…分断部、Ｂ…ビス
【図１】
2019032997.tif 000003
【図２】
2019032997.tif 000004
【図３】
2019032997.tif 000005
【図４】
2019032997.tif 000006
【図５】
2019032997.tif 000007
【図６】
2019032997.tif 000008
【図７】
2019032997.tif 000009
【図８】
2019032997.tif 000010
【図９】
2019032997.tif 000011
【図１０】
2019032997.tif 000012
【図１１】
2019032997.tif 000013
【図１２】
2019032997.tif 000014